(57)【要約】【課題】  薬剤を土中に注入するためのノズルが土中の石などの障害物が当たって変形乃至破損するのを未然に防止する。【解決手段】  機体に取り付けた支持杆２４と、土中を切り進む梁２５と、梁２５の先端に固着したチゼル２８とでサブソイラ２２を構成し、薬剤を吐出するノズル２９を梁２５の後方に上下方向に沿わせて一体的に装着して、サブソイラ２２に所定以上の過負荷が作用した時に支持杆２４と梁２５との間に介装した安全ピン２６，２７が剪断して、梁２５とチゼル２８が一体的に支持杆２４の後方側に退避回動するようにした。【選択図】        図１
2005192476.tif 000002
【特許請求の範囲】
【請求項１】
機体に取り付けた薬液又は肥料等の薬剤を貯留するタンクと、タンクに貯留された薬剤を吸入するポンプと、薬剤を吐出するノズルと、サブソイラとで構成された土中注入装置において、前記サブソイラは機体に取り付けた支持杆と、土中を切り進む梁と、梁の先端に固着したチゼルとで構成し、該サブソイラに所定以上の過負荷が作用した際には、支持杆と梁との間に介装した安全ピンが剪断して、梁とチゼルが一体に支持杆の後方側に退避回動すべくなすと共に、前記ノズルはサブソイラの梁の後方に上下方向に沿わせて一体的に装着したことを特徴とする薬剤の土中注入装置。
【発明の詳細な説明】
【技術分野】
【０００１】
この発明は、土中へ薬剤を注入する土中注入装置に関する。
【背景技術】
【０００２】
従来、土中に薬液等を注入する土中注入装置が知られている。
この土中注入装置は薬液等を吐出するノズルを備え、そして、ノズルは土中に挿入されるものであるため、ノズルの破損を防止すべく前方にサブソイラを設け、このサブソイラで土中を切り進みながら後方に設けたノズルを保護するようにしている（特許文献１参照。）。
【０００３】
【特許文献１】特許第３０８４４４９号公報
【発明の開示】
【発明が解決しようとする課題】
【０００４】
しかしながら、特許文献１等に記載された従来の土中注入装置は、そのサブソイラを一本の梁で構成すると共に、機体の取付ホルダに梁を取り付けて、また梁の後方に薬液等を土中に注入するためのノズルを上下方向に沿わせて装着しているので、サブソイラが土中の石などの障害物が当たって過負荷が作用したときはサブソイラが変形し、また破損する上、後方に設けたノズルもこれに伴って変形し、また破損してしまうという問題があった。
【課題を解決するための手段】
【０００５】
そこで本発明は、機体に取り付けた薬液又は肥料等の薬剤を貯留するタンクと、タンクに貯留された薬剤を吸入するポンプと、薬剤を吐出するノズルと、サブソイラとで構成された土中注入装置において、前記サブソイラは機体に取り付けた支持杆と、土中を切り進む梁と、梁の先端に固着したチゼルとで構成し、該サブソイラに所定以上の過負荷が作用した際には、支持杆と梁との間に介装した安全ピンが剪断して、梁とチゼルが一体に支持杆の後方側に退避回動すべくなすと共に、前記ノズルはサブソイラの梁の後方に上下方向に沿わせて一体的に装着したことを特徴としている。
【発明の効果】
【０００６】
本発明は、機体に取り付けた薬液又は肥料等の薬剤を貯留するタンクと、タンクに貯留された薬剤を吸入するポンプと、薬剤を吐出するノズルと、サブソイラとで構成された土中注入装置において、前記サブソイラは機体に取り付けた支持杆と、土中を切り進む梁と、梁の先端に固着したチゼルとで構成し、該サブソイラに所定以上の過負荷が作用した際には、支持杆と梁との間に介装した安全ピンが剪断して、梁とチゼルが一体に支持杆の後方側に退避回動すべくなすと共に、前記ノズルはサブソイラの梁の後方に上下方向に沿わせて一体的に装着したので、土中に存在する石などの障害物にサブソイラが当たってサブソイラに過負荷が作用した場合でも安全ピンが剪断して梁が後方へ退避回動するため、サブソイラが変形乃至破損することが防止されると共に、梁の後方に一体的に取り付けられた薬液等を吐出するノズルも梁と共に一体的に退避回動するため薬剤を吐出するノズルが変形乃至破損してしまうということがない。
【発明を実施するための最良の形態】
【０００７】
本発明の実施の形態を図面に基づいて説明する。
図１は、本発明の土中注入装置Ｄとロータリ耕耘装置１を備えた作業機Ａの側面図、また図２は同作業機Ａの平面図である。
まず、最初にロータリ耕耘装置１の構成について説明する。
ロータリ耕耘装置１は、トラクタＴの後部に３点リンク装置を介して昇降自在に連結され、トラクタＴの走行に伴い圃場の耕耘作業を行うものである。そして、ロータリ耕耘装置１はトラクタＴのＰＴＯ軸から伝動され、その動力はロータリ耕耘装置１のギヤケース２に入力される。
【０００８】
また、ギヤケース２の左右にはパイプフレーム３が連結してあり、一方（左）のパイプフレーム３の外端部にはチェーンケース４が、他方（右）のパイプフレーム３の外端部にはサイドフレーム４ａがそれぞれ一体的に取り付けられてロータリ耕耘装置１の機体フレーム５を構成している。
【０００９】
そして、上記チェーンケース４及びサイドフレーム４ａは、共に下方に延出してあり、該サイドフレーム４ａとチェーンケース４の下部の間に、従来同様、耕耘用のロータリ６が回転駆動自在に軸支されている。
【００１０】
上記構造により、ギヤケース２に入力された動力がパイプフレーム３中の伝動軸及びチェーンケース４中のチェーンを介してロータリ６に伝動され、これによりロータリ６が回転駆動され、圃場の耕耘作業を行う。なおギヤケース２の上部には、左右一対のプレートからなるトップマスト７が取付けられており、従来同様該トップマスト７の前端部が、３点リンク機構のトップリンクＴｌを介してトラクタＴに連結され、また図示しない左右のロアリンクがロータリ耕耘装置１の機体フレーム５に連結されている。
【００１１】
また、ロータリ６の上方にはロータリ６を覆うロータリカバー８が設けられており、該ロータリカバー８は、チェーンケース４とサイドフレーム４ａとの間に設けられてロータリ６の上方側を覆うメインカバー９と、該メインカバー９の後方に支持機構１０を介して取り付けられてロータリ６の後方側を覆うリヤカバー１１とで構成される。尚、メインカバー９は、側面視で円弧状をなす天板９ａを母体として、該天板９ａの左右両側端に側板９ｂを取り付けた構造となっている。
【００１２】
そして、天板９ａの上面の左右両側には、パイプ状のスライドブラケット１２が前後方向に固定されており、該スライドブラケット１２にはスライド杆１３が前後スライド自在に挿入されている。また、スライドブラケット１２には位置決め孔１４が穿設されており、ピンをスライド杆１３に穿設されたピン孔１５を貫通させて位置決め孔１４に挿入することによって、スライドブラケット１２に対するスライド杆１３の位置を調節固定することができる。
【００１３】
また、上記両スライド杆１３の後端には左右方向の横フレーム１６が固定され、さらに横フレーム１６の左右両側に下方に突出してブラケット１７が取り付けられて、リヤカバー１１を取り付けるカバー支持体１８が構成されており、該カバー支持体１８のブラケット１７にリヤカバー１１が支点軸１９を介して回動自在に軸支されている。なおリヤカバー１１は、横フレーム１６とリヤカバー１１の上面との間に設けられたロッド２０によって横フレーム１６側に吊支されている。
【００１４】
以上のようにリヤカバー１１は、左右のスライドブラケット１２とカバー支持体１８からなる支持機構１０を介してメインカバー９の後方側に取り付けられており、スライドブラケット１２に対するスライド杆１３の位置を調節することによって、リヤカバー１１の位置（回動支点位置）を移動させることにより、ロータリ６の後方側に形成される空間の広さを変更することができるようになっている。
【００１５】
次に、サブソイラの取付について説明すると、前述のロータリ耕耘装置１のスライドブラケット１２の上方側には、角パイプからなる左右方向の支持杆２１がギヤケース２の後方側に取り付けられており、該支持杆２１にはサブソイラ２２を取り付けるホルダ２３が左右位置調節自在に装着されている。
【００１６】
そして、サブソイラ２２は、ホルダ２３にボルト等によって高さ調節自在に取付けられる支持杆２４と、該支持杆２４の下端に取り付けられる梁２５と、その梁２５の下端先端に固定されるチゼル２８とからなり、該支持杆２４と梁２５とは、左右方向に重複させて大径ボルト２６と小径ボルト２７、及びナットとによって締結されており、サブソイラ２２に石などの障害物が当たって所定以上の過負荷が作用した際には、小径ボルト２７が剪断して、その場合、梁２５とチゼル２８とは一体に大径ボルト２６を支点として後方へ退避回動する。従って、小径ボルト２７は安全ピンとしての機能を果たし、それによりサブソイラ２２が変形したり破損したりすることが未然に防止される。
【００１７】
さらに、土中注入装置の要部について説明すると、土中注入装置の薬液を土中に注入するノズル２９は、前述したサブソイラ２２の梁２５の後方に上下方向に沿わせて装着してある。
即ち、パイプ状となすノズル２９は、梁２５がその前方をカバーするように梁２５の後方に上下方向に沿わせて溶接されて取り付けられている。
【００１８】
また、上記ノズル２９へ薬液を供給するタンク３０は、パイプフレーム３側に揺動自在に取り付けられて後方に突出するアーム３１に支持されて左右方向に延出する従来公知のツールバー３２に取り付けられている。
【００１９】
そして、薬液タンク３０の側方にはモータＭとポンプＰが配置されており、トラクタに搭載されたバッテリからの電源によりモータＭを駆動することでポンプＰが駆動され、ポンプＰは薬液タンク３０に貯留された薬液をビニール製のパイプ３３を介してポンプＰ内に吸入して、薬液は該ポンプＰからビニール製のパイプを介して排出されノズル２９先端から間欠的に吐出される。
【００２０】
次に、上述した作業機Ａを用いて耕耘と同時に薬液を土中へ注入する作業について説明すると、トラクタＴを圃場に入れて作業機Ａを下降させ作業を開始すると、ロータリ耕耘装置１は圃場を耕耘する。
また、薬液を土中へ注入する作業は、圃場へ作物の種を植える前に予め土中の害虫等を死滅させるために行うものであり、そのため地表面から１５センチ程度の深さに薬液を注入する必要がある。
尚、薬液は、間欠的（約３０センチピッチ）にノズル２９から土中に注入されて、ノズル２９から薬液が吐出した瞬間に土中に拡散され、薬液が略均一に土中内に行き渡たるものである。
【００２１】
また、係る作業中にサブソイラ２２に過負荷がかかって小径ボルト２７が剪断して梁２５が後方に退避回動した場合には、梁２５と一体的にノズル２９も退避回動するため、ノズル２９が損傷することがない。
また、ノズル２９が後方へ退避回動した際には、ノズル２９とポンプを繋ぐパイプ３３が弾性体で構成されているため、パイプ３３が湾曲するだけでそれ自体が損傷することもない。
さらに、作業を再開する際には予備の小径ボルト２７を付け替えて支持杆２４と梁２５とを締結し直せば良いことは勿論である。
【００２２】
なお、本実施例では土中に薬液を注入したものについて説明したが、薬液に限らず肥料や土壌改良剤等を土中に注入しても構わないものである。
【００２３】
また、土中への薬液注入作業はロータリ耕耘作業と同時に必ずしも行う必要はなく、また、ノズル２９の保護のために使用したサブソイラ２２は耕盤より下に入れて土中注入作業と同時に心土破砕作業を行うこともできる。
【図面の簡単な説明】
【００２４】
【図１】土中注入装置を備えた作業機の側面図である。
【図２】土中注入装置を備えた作業機の平面図である。
【図３】サブソイラの梁の後方にノズルを取り付けた状態を示す斜視図で              ある。
【符号の説明】
【００２５】
２２  サブソイラ
２４  支持杆
２５  梁
２６  大径ボルト
２７  小径ボルト
２８  チゼル
２９  ノズル
３０  タンク
Ｐ    ポンプ
【図１】
2005192476.tif 000003
【図２】
2005192476.tif 000004
【図３】
2005192476.tif 000005